(57)【要約】【課題】部品点数が少なく、簡単に製造でき、被取付部材を移動可能に固定することができる締結具。【解決手段】締結具は、中空の円筒部(12)と、フランジ(11)と、貫通孔(14)とを有するＴ型カラー(10)と、ブラインドリベットとを備える。ブラインドリベットは、中空のスリーブ(22)と、フランジ(21)と、貫通孔(26)とを有し、スリーブの一部に拡径した座屈部(24)が形成されたリベットボディ(20)と；破断部(34)で破断し、リベットボディの貫通孔内に残った軸部(32)と、リベットボディの貫通孔の内径より大きい外径の頭部(31)とを有するマンドレル(30)とを含む。  リベットボディの拡径した座屈部と、リベットボディのフランジとの間にＴ型カラーが固定される。複数の被取付部材は、Ｔ型カラーの円筒部の周りで、Ｔ型カラーのフランジと、リベットボディのフランジとの間に移動可能に支持される。【選択図】図５
2013119883.tif 000002
【特許請求の範囲】
【請求項１】
取付孔を有する複数の被取付部材を移動可能に締結するための締結具であって、
中空の円筒部と、前記円筒部の一端に形成されたフランジと、前記円筒部側の端部からフランジ側端部まで貫通する貫通孔とを有するＴ型カラーと、
ブラインドリベットとを備え、前記ブラインドリベットは、
中空のスリーブと、前記スリーブの一端に形成されたフランジと、スリーブ側端部からフランジ側端部まで貫通する貫通孔とを有するリベットボディと、
前記スリーブの前記貫通孔に一部が配置された細長い軸部と、前記リベットボディのスリーブ側端部に配置され、前記リベットボディの貫通孔の内径より大きい外径の頭部とを有するマンドレルと、を含み、
前記Ｔ型カラーを前記円筒部の側から、前記被取付部材の取付孔に挿入し、
前記ブラインドリベットを、前記マンドレルの頭部を先頭にして、前記Ｔ型カラーの前記円筒部の側から、前記Ｔ型カラーの前記貫通孔に挿入し、前記リベットボディの前記フランジは、前記Ｔ型カラーの前記円筒部側の端部に配置され、
前記リベットボディの前記フランジを支持して、前記リベットボディの前記フランジの側から前記マンドレルの前記軸部を引き抜くとき、前記スリーブの一部が、前記頭部により押されて拡径し、前記リベットボディの拡径した座屈部と、前記リベットボディの前記フランジとの間に前記Ｔ型カラーを固定し、前記マンドレルの前記軸部は、破断部で破断して引き抜かれ、
前記複数の被取付部材は、前記Ｔ型カラーの前記円筒部の周りで、前記Ｔ型カラーの前記フランジと、前記リベットボディの前記フランジとの間に移動可能に支持されることを特徴とする締結具。
【請求項２】
取付孔を有する複数の被取付部材を移動可能に締結するための締結具であって、
中空の円筒部と、前記円筒部の一端に形成されたフランジと、前記円筒部側の端部からフランジ側端部まで貫通する貫通孔とを有するＴ型カラーと、
ブラインドリベットとを備え、前記ブラインドリベットは、
中空のスリーブと、前記スリーブの一端に形成されたフランジと、スリーブ側端部からフランジ側端部まで貫通する貫通孔とを有し、前記ブラインドリベットの締結動作により前記スリーブの一部に拡径した座屈部が形成されたリベットボディと、
前記締結動作により破断部で破断し、前記リベットボディの前記貫通孔内に残った軸部と、前記リベットボディのスリーブ側端部に配置され、前記リベットボディの貫通孔の内径より大きい外径の頭部とを有するマンドレルと、を含み、
前記リベットボディの前記フランジは、前記Ｔ型カラーの前記円筒部側の端部に配置され、前記リベットボディの拡径した前記座屈部と、前記リベットボディの前記フランジとの間に前記Ｔ型カラーが固定され、
前記複数の被取付部材は、前記Ｔ型カラーの前記円筒部の周りで、前記Ｔ型カラーの前記フランジと、前記リベットボディの前記フランジとの間に移動可能に支持されることを特徴とする締結具。
【請求項３】
取付孔を有する複数の被取付部材を移動可能に締結するための締結具であって、
中空の円筒部と、前記円筒部の一端に形成されたフランジと、前記円筒部側の端部からフランジ側端部まで貫通する貫通孔とを有するＴ型カラーと、
中空のスリーブと、前記スリーブの一端に形成されたフランジと、スリーブ側端部からフランジ側端部まで貫通する貫通孔とを有し、前記ブラインドナットの締結動作により前記スリーブの一部に拡径した座屈部が形成されたブラインドナットとを備え、
前記ブラインドナットの前記フランジは、前記Ｔ型カラーの前記円筒部側の端部に配置され、前記ブラインドナットの拡径した前記座屈部と、前記ブラインドナットの前記フランジとの間に前記Ｔ型カラーが固定され、
前記複数の被取付部材は、前記Ｔ型カラーの前記円筒部の周りで、前記Ｔ型カラーの前記フランジと、前記リベットボディの前記フランジとの間に移動可能に支持されることを特徴とする締結具。
【請求項４】
請求項１乃至３の何れか１項に記載の締結具であって、
前記Ｔ型カラーの前記円筒部の長さは、前記複数の被取付部材の合計の厚さより長い締結具。
【請求項５】
請求項１乃至３の何れか１項に記載の締結具であって、
前記Ｔ型カラーの前記フランジの外径と、前記リベットボディの前記フランジの外径とは、何れの前記被取付部材の前記取付孔の内径より大きい締結具。
【請求項６】
請求項１乃至３の何れか１項に記載の締結具であって、
前記Ｔ型カラーの前記フランジ側に、前記貫通孔より内径の大きい凹部を有し、前記座屈部は前記凹部内に形成される締結具。
【発明の詳細な説明】
【技術分野】
【０００１】
本発明は、締結具及びその締結方法に関する。特に、両端に径大部を有する締結具により、取付孔を有する被取付部材を摺動可能又は回転可能に締結することができる締結具及びその締結方法に関する。
【背景技術】
【０００２】
複数の板状の被取付部材を相互に移動可能に取り付ける場合、一般に被取付部材の取付孔を通る締結具により固定される。複数の被取付部材の取付孔にフランジと軸部とを有する締結具の軸部を通し、軸部の端部に固定ピンを付けることにより締結具が外れないように固定する方法がある。
図１は、従来の締結具により、２枚の被取付部材を取付けた状態を示す断面図である。この締結方法は、歩行者用信号機で採用されている。従来の締結方法では、軸部52と、軸部52の一端部に形成された径の大きいフランジ51とを有する取付ピン50を使用する。軸部52の他端部に近い部分に、半径方向に固定ピンを通すための固定ピン孔53が形成されている。被取付部材41には取付孔43が形成されている。被取付部材42には取付孔44が形成されている。被取付部材41と42を取付孔43と44が合うように重ね、取付ピン50にワッシャ55を取付け、取付ピン50の軸部52から取付孔43,44に挿入する。ワッシャ55の外径は、被取付部材42の取付孔44の内径より大きいことが必要である。軸部52の他端部の側から、他のワッシャ54を取付ける。ワッシャ54の外径は、被取付部材41の取付孔43の内径より大きいことが必要である。次に、固定ピン56を固定ピン孔53に通し、固定ピン56の端部をかしめる等して、固定ピン56が抜け落ちないように固定する。この状態で、取付ピン50は外れることはなく、被取付部材41と42とは、相互に摺動、又は回転等の移動をすることが出来るようにゆるく固定されている。
【０００３】
しかし、この固定方法は、取付ピン50と、２枚のワッシャ54,55と、固定ピン56とを使用する。即ち、締結具として４つの部品が必要であった。又、締結作業は、取付ピン50にワッシャ55を取付け、被取付部材41,42の一方の側から、取付ピン50を取付孔42,44に挿入し、軸部52の他端部の側から、他のワッシャ54を取付け、固定ピン56を固定ピン孔53に通し、端部をかしめるという手間のかかるものであった。固定ピン56による固定は、作業により固定強度にバラツキが生じやすかった。
また、被取付部材41,42の両方の側から作業する必要があった。
【０００４】
被取付部材をボルトとナットを用いて固定する方法もある。２枚の被取付部材を相互に移動可能に取り付けるためには、ボルトとナットを堅く締めることは出来ず、緩みの心配があるため、固定ピンを使用してナットが緩まないようにする必要がある。この場合も部品点数が多く、固定ピンを固定する作業性も悪いという問題があった。
【０００５】
特許文献１は、一端部のフランジとこのフランジから延び内周面にねじが形成された中空のシャンクとを有するブラインドリベットを、シャンクが貫通する孔を有する板状部材にシャンクの一部を拡膨させることによって取り付けたブラインドナットを開示する。
特許文献１のブラインドナットは、フランジとシャンクの拡膨部分との間に、ブラインドナットを板状部材に対して回転させることができ、板状部材の厚さより大きい高さを有するスペーサと、スペーサの一端から延びブラインドナットを回転させることができる補助部材とが固着されている。そのため、部材取付け後両部材を取り付けたままで、ブラインドナットを回転させ、間隔を調整することが出来る。
しかし、特許文献１のブラインドナットは、ボルト、ブラインドナット、板状部材、スペーサ、補助部材と、多数の部品が必要であった。
【０００６】
特許文献２は、金属インサートとプラスチックケースとを有する雌端部成分（リベットボディに相当）と、雌端部成分の内側に配置され、ヘッドとシャンクとを有する雄端部成分（マンドレルに相当）と、を含むブラインドリベット・ファスナ・アセンブリを開示する。特許文献２では、マンドレルにより、シャンクを拡径させて、雄端部成分と雌端部成分とを密着させ、マンドレルを破断し、平坦パネルを固定する。
特許文献２では、雌端部成分はプラスチックケースの内側に金属インサートを含むものであり、構造が複雑であるという問題がある。
【０００７】
特許文献３は、円筒形状の突出部を有する第１の板部材と、第１の板部材の突出部を受け入れる大きさの開口を有する第２の板部材とを備える回転継手組立体を開示する。特許文献３では、突出部開口を通るリベットのステムにより、リベットボディの一部を変形させてフランジを形成し、リベットのヘッドとフランジとの間に２枚の板部材を回転可能に保持する。
特許文献３は、結合する第１の板部材に円筒形状の突出部を形成し、第２の板部材に第１の板部材の突出部を受け入れる大きさの開口を形成する必要があり、結合する部材に複雑な加工をしなければならないという問題があった。
【０００８】
そのため、部品点数が少なく、容易に製造でき、被取付部材を移動可能に固定する締結具が求められていた。
また、締結作業時間が短く、容易に締結することができる締結作業性の良い締結具が求められていた。
また、締結作業による、締結強度のバラツキが少ない締結具が求められていた。
【先行技術文献】
【特許文献】
【０００９】
【特許文献１】実開昭５８−２２５０９号公報
【特許文献２】特開昭６２−６２０８号公報
【特許文献３】特開２００１−３２８２０号公報
【発明の概要】
【発明が解決しようとする課題】
【００１０】
従って、本発明の目的は、部品点数が少なく、簡単に製造でき、被取付部材を移動可能に固定する締結具を提供することである。
また、本発明の目的は、締結作業時間が短く、締結作業性の良い締結具を提供することである。
また、本発明の目的は、締結作業による締結強度のバラツキが少ない締結具を提供することである。
【課題を解決するための手段】
【００１１】
この目的を達成するため、本発明の第１の態様は、フランジと円筒部を有するＴ型カラーを被取付部材の取付孔に挿入し、フランジとスリーブを有するリベットボディを含むブラインドリベットを使用し、フランジと、スリーブの一部を拡径して形成した座屈部との間にＴ型カラーの両端部を固定し、Ｔ型カラーのフランジとリベットボディのフランジとの間に、被取付部材を移動可能に支持する。
また本発明の第２の態様は、ブラインドリベットの代わりに、フランジとスリーブを有するブラインドナットを使用し、フランジと円筒部を有するＴ型カラーを被取付部材の取付孔に挿入し、フランジと、ブラインドナットのスリーブの一部を拡径して形成した座屈部との間にＴ型カラーの両端部を固定し、Ｔ型カラーのフランジとブラインドナットのフランジとの間に、被取付部材を移動可能に支持する。
【００１２】
本発明の第１の態様は、取付孔を有する複数の被取付部材を移動可能に締結するための締結具であって、
中空の円筒部と、前記円筒部の一端に形成されたフランジと、前記円筒部側の端部からフランジ側端部まで貫通する貫通孔とを有するＴ型カラーと、
ブラインドリベットとを備え、前記ブラインドリベットは、
中空のスリーブと、前記スリーブの一端に形成されたフランジと、スリーブ側端部からフランジ側端部まで貫通する貫通孔とを有するリベットボディと、
前記スリーブの前記貫通孔に一部が配置された細長い軸部と、前記リベットボディのスリーブ側端部に配置され、前記リベットボディの貫通孔の内径より大きい外径の頭部とを有するマンドレルと、を含み、
前記Ｔ型カラーを前記円筒部の側から、前記被取付部材の取付孔に挿入し、
前記ブラインドリベットを、前記マンドレルの頭部を先頭にして、前記Ｔ型カラーの前記円筒部の側から、前記Ｔ型カラーの前記貫通孔に挿入し、前記リベットボディの前記フランジは、前記Ｔ型カラーの前記円筒部側の端部に配置され、
前記リベットボディの前記フランジを支持して、前記リベットボディの前記フランジの側から前記マンドレルの前記軸部を引き抜くとき、前記スリーブの一部が、前記頭部により押されて拡径し、前記リベットボディの拡径した座屈部と、前記リベットボディの前記フランジとの間に前記Ｔ型カラーを固定し、前記マンドレルの前記軸部は、破断部で破断して引き抜かれ、
前記複数の被取付部材は、前記Ｔ型カラーの前記円筒部の周りで、前記Ｔ型カラーの前記フランジと、前記リベットボディの前記フランジとの間に移動可能に支持されることを特徴とする締結具である。
【００１３】
これにより、Ｔ型カラーとリベットボディとマンドレルとの３部品を使用して、被取付部材の一方の側から、ブラインドリベットを締結するという簡単な作業で、Ｔ型カラーは、リベットボディの座屈部とフランジとの間に固く固定され、被取付部材を、Ｔ型カラーのフランジと、リベットボディのフランジとの間に、移動可能に確実に固定することができる。
【００１４】
また、本発明は、取付孔を有する複数の被取付部材を移動可能に締結するための締結具であって、
中空の円筒部と、前記円筒部の一端に形成されたフランジと、前記円筒部側の端部からフランジ側端部まで貫通する貫通孔とを有するＴ型カラーと、
ブラインドリベットとを備え、前記ブラインドリベットは、
中空のスリーブと、前記スリーブの一端に形成されたフランジと、スリーブ側端部からフランジ側端部まで貫通する貫通孔とを有し、前記ブラインドリベットの締結動作により前記スリーブの一部に拡径した座屈部が形成されたリベットボディと、
前記締結動作により破断部で破断し、前記リベットボディの前記貫通孔内に残った軸部と、前記リベットボディのスリーブ側端部に配置され、前記リベットボディの貫通孔の内径より大きい外径の頭部とを有するマンドレルと、を含み、
前記リベットボディの前記フランジは、前記Ｔ型カラーの前記円筒部側の端部に配置され、前記リベットボディの拡径した前記座屈部と、前記リベットボディの前記フランジとの間に前記Ｔ型カラーが固定され、
前記複数の被取付部材は、前記Ｔ型カラーの前記円筒部の周りで、前記Ｔ型カラーの前記フランジと、前記リベットボディの前記フランジとの間に移動可能に支持されることを特徴とする締結具である。
【００１５】
本発明の第２の態様は、取付孔を有する複数の被取付部材を移動可能に締結するための締結具であって、
中空の円筒部と、前記円筒部の一端に形成されたフランジと、前記円筒部側の端部からフランジ側端部まで貫通する貫通孔とを有するＴ型カラーと、
中空のスリーブと、前記スリーブの一端に形成されたフランジと、スリーブ側端部からフランジ側端部まで貫通する貫通孔とを有し、前記ブラインドナットの締結動作により前記スリーブの一部に拡径した座屈部が形成されたブラインドナットとを備え、
前記ブラインドナットの前記フランジは、前記Ｔ型カラーの前記円筒部側の端部に配置され、前記ブラインドナットの拡径した前記座屈部と、前記ブラインドナットの前記フランジとの間に前記Ｔ型カラーが固定され、
前記複数の被取付部材は、前記Ｔ型カラーの前記円筒部の周りで、前記Ｔ型カラーの前記フランジと、前記リベットボディの前記フランジとの間に移動可能に支持されることを特徴とする締結具である。
【００１６】
これにより、Ｔ型カラーとブラインドナットとの２部品を使用し、被取付部材の一方の側から、ブラインドナットを締結するという簡単な作業で、被取付部材を、Ｔ型カラーのフランジと、ブラインドナットのフランジとの間に、移動可能に確実に固定することができる。
【００１７】
前記Ｔ型カラーの前記円筒部の長さは、前記複数の被取付部材の合計の厚さより長いことが好ましい。
前記Ｔ型カラーの前記フランジの外径と、前記リベットボディの前記フランジの外径とは、何れの前記被取付部材の前記取付孔の内径より大きいことが好ましい。
【００１８】
前記Ｔ型カラーの前記フランジ側に、前記貫通孔より内径の大きい凹部を有し、前記座屈部は前記凹部内に形成されることが好ましい。
【発明の効果】
【００１９】
本発明によれば、部品点数が少なく、簡単に製造でき、被取付部材を移動可能に固定する締結具を得ることができる。
また、締結作業性の良い締結具を得ることができる。
また、締結作業による締結強度のバラツキが少ない締結具を得ることができる。
【図面の簡単な説明】
【００２０】
【図１】従来の締結具により、被取付部材を取付けた状態を示す断面図である。
【図２】本発明の第１の実施形態の締結具のＴ型カラーの断面図である。
【図３】本発明の第１の実施形態の締結具のブラインドリベットのリベットボディの一部を断面とした正面図である。
【図４】本発明の第１の実施形態による締結具のＴ型カラーを被取付部材の取付孔に挿入し、ブラインドリベットをＴ型カラーに挿入する前の状態を示す一部を断面とした正面図である。
【図５】図４の締結具により、被取付部材を締結した後の状態を示す一部を断面とした正面図である。
【図６】第１の実施形態の変形例により、被取付部材を締結した後の状態を示す一部を断面とした正面図である。
【図７】第２の実施形態による締結具のＴ型カラーを被取付部材の取付孔に挿入し、ブラインドナットをＴ型カラーに挿入する前の状態を示す断面図である。
【図８】図７の締結具により、被取付部材を締結した後の状態を示す断面図である。
【図９】本発明の第２の実施形態で使用する締結工具の一例の全体を示す斜視図である。
【発明を実施するための形態】
【００２１】
以下、図面を参照して、本発明の第１の実施形態による締結具について説明する。本発明の実施形態による締結具は、Ｔ型カラー10と、リベットボディ20とマンドレル30とを有するブラインドリベットとを備える。
図２は、本発明の第１の実施形態による締結具の構成部品であるＴ型カラー10の断面図である。Ｔ型カラー10は、中心軸の周りに軸対称であり、大径のフランジ11と、フランジ11から延びる円筒形の円筒部12とを有する。フランジ11の外径は、被取付部材41,42の取付孔43,44の内径より大きい。円筒部12の外径は、被取付部材41,42の取付孔43,44の内径より小さく、取付孔43,44に挿入することが出来る。
【００２２】
フランジ11側端部から円筒部12の一部の内側には、中心軸を中心とする皿状の凹部13が形成され、凹部13に後述するマンドレルの頭部を受け入れることが出来る。凹部13の底面は、少しテーパが付き、テーパ状の凹部13の底部に続いて、円筒部12の内側には、中心軸に沿って、貫通孔14が形成され、ここにリベットボディのスリーブを受け入れることが出来る。凹部13の深さはフランジ11の厚さより少し長く、凹部13に続く貫通孔14の長さは、円筒部12の長さより少し短い。
【００２３】
図３は、本発明の第１の実施形態による締結具の構成部品であるブラインドリベットについて、リベットボディ20の一部を断面とした正面図である。ブラインドリベットは、リベットボディ20と、マンドレル30とを含む。リベットボディ20のスリーブ側端部から、リベットボディ20の貫通孔26に、マンドレル30を挿入し、マンドレル30の頭部31が、リベットボディ20のスリーブ側端部に隣接して配置されている。
【００２４】
ブラインドリベットのリベットボディ20について説明する。リベットボディ20は、中心軸に対して軸対称であり、大径のフランジ21と、フランジ21から延びる円筒状のスリーブ22とを含む。フランジ21は大径であり、フランジ21の外径は、被取付部材41,42の取付孔43,44の内径より大きい。スリーブ22は、フランジ21の側から、中間部23と、座屈部24と、先端部25とを有する。フランジ21から先端部25まで貫通する貫通孔26が形成されている。
中間部23と座屈部24と先端部25とを含むスリーブ22の外径は、Ｔ型カラー10の貫通孔14の内径よりやや小さく、スリーブ22をＴ型カラー10の貫通孔14に挿入することが出来る。
【００２５】
中間部23は円筒形である。中間部23に続く座屈部24は、円筒形であり、中間部23よりやや外径と内径が大きい。座屈部24の肉厚は、中間部23と同じである。座屈部24の両端部は傾斜していて、座屈させるとき変形しやすくなっている。リベットボディ20を締結するにときに、座屈部24は、マンドレルの頭部により座屈して拡径し、Ｔ型カラー10の凹部13の底面に係合するようになっている。
座屈部24に続いて、リベットボディ20の端部は、先端部25である。先端部25は、円筒形であり、中間部23とほぼ同じ外径と内径を有する。先端部25は、リベットボディ20を締結するときも、座屈しない。
【００２６】
リベットボディ20には、フランジ21と、スリーブ22とを貫通する貫通孔26が形成されている。貫通孔26の内径は、後述するマンドレルの軸部の外径よりやや大きく、マンドレルの軸部を挿入することが出来る。
中間部23の内側の部分の貫通孔26の長さは、Ｔ型カラー10の凹部13を除いた貫通孔14の長さとほぼ等しく、座屈部24を座屈させたとき、座屈部24はＴ型カラー10の凹部13の底面に係合するようになっている。リベットボディ20がＴ型カラー10と組み合わされたとき、中間部23は、Ｔ型カラー10の貫通孔14の内部に位置する。
【００２７】
リベットボディ20は、例えばアルミニウム、アルミニウム合金等で作られる。又は、リベットボディ20はスチール等で作ることもできる。
【００２８】
次に、ブラインドリベットのマンドレル30について説明する。マンドレル30は、一端部の頭部31と、頭部31から延びる細長い軸部32と、を含む。頭部31の外径は、リベットボディ20の貫通孔26の内径より大きい。頭部31の外径は、被取付部材41,42の取付孔43,44の内径より小さく、取付孔43,44を通ることができる。軸部32は円柱状で、リベットボディ20の貫通孔26の内径より小さい外径を有し、貫通孔26内に挿入することができる。軸部32の長さは、リベットボディ20の貫通孔26の長さより長く、リベットボディ20の軸部32をリベットボディ20の貫通孔26に挿入すると、軸部32の先端は、リベットボディ20のフランジ側端部から突き出す。
【００２９】
マンドレル30の軸部32は、頭部31の側から、円柱部33と、破断可能部34と、把持部35と、先端部36とを含む。頭部31に隣接して、円柱状の円柱部33がある。
円柱部33に隣接して、円柱部33より外径の小さい破断可能部34がある。破断可能部34は、ブラインドリベットを組み立てた状態で、リベットボディ20の貫通孔26に収容される部分にある。破断可能部34は、締結工具でマンドレル30の軸部32を引き抜くとき、ある引抜力を超えると破断する部分である。
【００３０】
破断可能部34に隣接して、破断可能部34より径の大きい把持部35がある。把持部35には締結工具の把持部材で把持する場合スリップしないように多段の係止溝が形成されている。軸部32の先端部36は先が細くなり、締結工具に挿入しやすいように、先が細くなっている。マンドレル30の材質はスチール等である。
【００３１】
図４〜５を参照して、図２のＴ型カラー10と、図３のリベットボディ20とマンドレル30とからなるブラインドリベットにより、被取付部材41,42を締結する動作について説明する。図４は、締結具のＴ型カラー10を被取付部材41,42の取付孔43,44に挿入し、ブラインドリベットをＴ型カラー10に挿入する前の状態を示す一部を断面とした正面図である。図４の左側がブラインド側であり、右側からブラインドリベットを取り付ける作業をする。図４では、被取付部材42の取付孔44の内径は、被取付部材41の取付孔43の内径と同じである。取付孔44と取付孔43の内径は異なっても良く、また長孔であっても良い。
【００３２】
まず、被取付部材41の取付孔43と被取付部材42の取付孔44の位置が合うように、被取付部材41と42を重ね合わせる。Ｔ型カラー10を被取付部材41,42の取付孔43,44に、図４の左側から円筒部12を先頭にして挿入する。Ｔ型カラー10のフランジ11が、被取付部材42の取付孔44の周りに当接する。
【００３３】
図３のブラインドリベットは、リベットボディ20の貫通孔26にスリーブ22側の端部から、マンドレル30を軸部32を先頭にして、挿入して組み合わせたものである。このマンドレル30の把持部35を、取付工具の把持部材で把持する。図４に示すように、このブラインドリベットを、Ｔ型カラー10の貫通孔14に、マンドレル30の頭部31を先頭にして、図４の右側から挿入し、リベットボディ20のフランジ21が、Ｔ型カラー10のスリーブ12の端部に当接するようにする。
【００３４】
リベットボディ20のフランジ21の外径は、被取付部材41,42の取付孔43,44の内径より大きい。フランジ21がＴ型カラー10のスリーブ12の端部に当接した状態で、被取付部材41,42は、Ｔ型カラー10のフランジ11と、リベットボディ20のフランジ21との間で、隙間の範囲内で移動することが出来る。
【００３５】
図５は、ブラインドリベットの締結が完了した状態を示す一部を断面とした正面図である。ブラインドリベットを締結するには、取付工具のノーズピース（図示せず）でリベットボディ20のフランジ21を保持しながら、マンドレル30の把持部35を取付工具の把持部材（図示せず）で把持して引き抜いていく。マンドレル30の頭部31は、リベットボディ20の座屈部24を座屈させる。座屈部24は、Ｔ型カラー10の凹部13の中で拡径し、凹部13の底面に当接する。更に、マンドレル30を引き抜いていくと、マンドレル30は、破断可能部34で破断し、破断可能部34から頭部31の側は締結した部分に残り、締結は完了する。Ｔ型カラー10は、リベットボディ20の座屈部24とフランジ21との間に固く固定される。
こうして、被取付部材の41,42の一方の側から、ブラインドリベットを締結することができる。
【００３６】
Ｔ型カラー10の円筒部12の長さは、被取付部材41の厚さと被取付部材42の厚さを合計した厚さより長い。リベットボディ20のフランジ21は、Ｔ型カラー10の円筒部12に当接して止まるので、Ｔ型カラー10のフランジ11と、リベットボディ20のフランジ21との間に、被取付部材41と42とが挟まれる。Ｔ型カラー10のフランジ11と被取付部材42との間、リベットボディ20のフランジ21と被取付部材41との間には隙間がある。被取付部材41の取付孔43の内周とＴ型カラー10の円筒部12の外周との間には隙間があり、被取付部材42の取付孔44の内周とＴ型カラー10の円筒部12の外周との間には隙間がある。そのため、被取付部材41と42は、隙間の範囲内で摺動、又は回転することが出来る。
【００３７】
図６に第１の実施形態の変形例を示す。図６では、Ｔ型カラーとブラインドリベットについて、図５と同じ参照番号にダッシュを付けて示す。第１の実施形態では、Ｔ型カラー10に凹部13を形成し、凹部13に座屈部24が入るようにした。第１の実施形態の変形例では、Ｔ型カラー10'に凹部を形成せず、Ｔ型カラー10'のフランジ側端面に、座屈した座屈部24'が接するようにする。この場合、リベットボディ20'のスリーブ22'の長さは、図５のリベットボディ20のスリーブ22の長さより長くなる。
Ｔ型カラー10'は、リベットボディ20'の座屈部24'とフランジ21'との間に固く固定される。
【００３８】
第１の実施形態では、大径のフランジ21を有し、リベットボディ20の座屈部24を座屈させて締結するブラインドリベットを説明した。本発明に使用できるブラインドリベットは第１の実施形態で説明したブラインドリベットに限定されない。被取付部材の片側から締結することができる一般的なブラインドリベットであれば、本発明に使用することが出来る。
【００３９】
第１の施形態によれば、Ｔ型カラー10とリベットボディ20とマンドレル30との３部品を使用して、ブラインドリベットの締結という簡単な作業で、被取付部材41と42とを、Ｔ型カラー10のフランジ11と、リベットボディ20のフランジ21との間に、移動可能に確実に固定することができる。
【００４０】
次に、図７〜９により本発明の第２の実施形態の締結具を説明する。第２の実施形態では、第１の実施形態と同じ図２のＴ型カラー10を使用し、第１の実施形態のブラインドリベットの代わりにブラインドナット60を使用する。
図７は、第２の実施形態による締結具のＴ型カラー10を被取付部材41,42の取付孔43,44に挿入し、ブラインドナット60をＴ型カラー10に挿入する前の状態を示す断面図である。
【００４１】
第２の実施形態に使用するブラインドナット60について説明する。ブラインドナット60は、中心軸の周りに軸対称であり、大径のフランジ61と、フランジ61から延びる円筒状のスリーブ62とを含む。フランジ61は大径であり、フランジ61の外径は、被取付部材41,43の取付孔42,44の内径より大きい。スリーブ62は、フランジ61の側から、中間部63と、先端部65とを有する。フランジ61から先端部65まで貫通する貫通孔66が形成されている。
【００４２】
中間部63は、円筒形である。ブラインドナット60がＴ型カラー10と組み合わされたとき、中間部63は、Ｔ型カラー10の貫通孔14の内部に位置する。
中間部63の先端部側は、ブラインドナット60を締結するとき、座屈して拡径する座屈部64であり、座屈部64はＴ型カラー10の凹部13の底面に係合するようになっている。図７では、座屈する部分の肉厚は中間部63と同じであるが、中間部63の先端部側に肉厚の薄い座屈部を形成して、座屈部で座屈しやすくすることもできる。
【００４３】
中間部63に続いて、ブラインドナット60の端部は、先端部65である。先端部65は、円筒形であり、中間部63と同じ外径を有するが、内径は中間部63より小さく、中間部63より厚い肉厚を有する。先端部65の内周には、雌ねじ67が形成され、締結工具の雄ねじを係合させることが出来るようになっている。先端部65は、ブラインドナット60を締結するときも、座屈しない。
【００４４】
ブラインドナット60のスリーブ62の外径は、Ｔ型カラー10の貫通孔14の内径よりやや小さく、Ｔ型カラー10の貫通孔14に挿入することが出来る。
ブラインドナット60には、フランジ61と、スリーブ62とを貫通する貫通孔66が形成されている。中間部63の内側の部分の貫通孔66の長さは、Ｔ型カラー10の凹部13を除いた貫通孔14の長さとほぼ等しく、座屈部を座屈させたとき、座屈部64はＴ型カラー10の凹部13の底面に係合するようになっている。ブラインドナット60がＴ型カラー10と組み合わされたとき、中間部63は、Ｔ型カラー10の貫通孔14の内部に位置する。
【００４５】
ブラインドナット60は、例えばアルミニウム、アルミニウム合金等で作られる。又は、ブラインドナット60はスチール等で作ることもできる。
【００４６】
図９は、本発明の第２の実施形態で使用する締結工具70の一例の全体を示す斜視図である。締結工具70は、圧縮エアーを駆動源とする。本体71に隣接して、締結する部品を支持するためのノーズピース72と、先端部の雄ねじを有するスクリューマンドレル73とを備える。回転体（図示せず）を回転させて、先端部のスクリューマンドレル73を正逆方向に回転させ、雌ねじと係合させ又は係合を解除することができるようになっている。また、スクリューマンドレル73を回転させずに、強く引き込むことができるようになっている。
第２の実施形態では、図９に示す締結工具70以外に、被取付部材の片側からの作業で締結具を締結することが出来る工具であれば、使用することが出来る。
【００４７】
図８は、ブラインドナット60の締結が完了した状態を示す断面図である。ブラインドナット60を締結するには、図９に示す締結工具70のスクリューマンドレル73をブラインドナット60の貫通孔66に挿入し、スクリューマンドレル73を正回転させて、先端部65の内周の雌ねじ67と係合させる。次に、締結工具70のノーズピース72でブラインドナット60のフランジ61を保持しながら、スクリューマンドレル73を回転させずに引き抜いていく。このとき、ブラインドナット60の中間部63の先端部65に隣接する座屈部64が座屈する。Ｔ型フランジ10の貫通孔14から凹部13側に出たスリーブ22の部分は、貫通孔14により外周を拘束されていない座屈部64である。座屈部64は先端部65より肉厚が薄いので、座屈する。座屈部64は、Ｔ型カラー10の凹部13の底面に当接する。更に、スクリューマンドレル73の雄ねじを逆回転させて、ブラインドナット60の先端部65の雌ねじ67との係合を解除して、締結は完了する。Ｔ型カラー10は、ブラインドナット60の座屈部64とフランジ61との間に固く固定される。
こうして、被取付部材の41,42の一方の側から、ブラインドナット60を締結することができる。
【００４８】
ブラインドナット60のフランジ61は、Ｔ型カラー10の円筒部12に当接して止まるので、Ｔ型カラー10のフランジ11と、ブラインドナット60のフランジ61との間に、被取付部材41と42とが挟まれる。Ｔ型カラー10のフランジ11と被取付部材42との間、ブラインドナット60のフランジ61と被取付部材41との間には隙間がある。被取付部材41の取付孔43の内周とＴ型カラー10の円筒部12の外周との間には隙間があり、被取付部材42の取付孔44の内周とＴ型カラー10の円筒部12の外周との間には隙間がある。そのため、被取付部材41と42は、隙間の範囲内で摺動、又は回転することが出来る。
【００４９】
第２の実施形態においても、図６に示す第１の実施形態の変形例と同様に、凹部を形成していないＴ型カラー10'を使用し、Ｔ型カラー10'のフランジ側端面に、ブラインドナット60の座屈部64が当接するようにすることも出来る。
【００５０】
第２の施形態によれば、Ｔ型カラー10とブラインドナット60との２部品を使用し、ブラインドナット60の締結という簡単な作業で、被取付部材41と42とを、Ｔ型カラー10のフランジ11と、ブラインドナット60のフランジ61との間に、移動可能に確実に固定することができる。
【符号の説明】
【００５１】
10  Ｔ型カラー
11  フランジ
12  円筒部
13  凹部
14  貫通孔
20  リベットボディ
21  フランジ
22  スリーブ
23  中間部
24  座屈部
25  先端部
26  貫通孔
30  マンドレル
31  頭部
32  軸部
33  円柱部
34  破断可能部
35  把持部
36  先端部
41  被取付部材
42  被取付部材
43  取付孔
44  取付孔
50  取付ピン
51  フランジ
52  軸部
53  固定ピン孔
54  ワッシャ
55  ワッシャ
56  固定ピン
60  ブラインドナット
61  フランジ
62  スリーブ
63  中間部
64  座屈部
65  先端部
66  貫通孔
67  雌ねじ
70  締結工具
71  本体
72  ノーズピース
73  スクリューマンドレル
【図１】
2013119883.tif 000003
【図２】
2013119883.tif 000004
【図３】
2013119883.tif 000005
【図４】
2013119883.tif 000006
【図５】
2013119883.tif 000007
【図６】
2013119883.tif 000008
【図７】
2013119883.tif 000009
【図８】
2013119883.tif 000010
【図９】
2013119883.tif 000011